(57)【要約】この出願は、船舶内に設置された排出ガス浄化ユニットの洗浄液注入口における洗浄液の合計流量Ｑtotを決定するシステムと方法に関し、その排出ガス浄化ユニットは、気体浄化パイプと、気体浄化パイプ内に異なる高さレベルで設けられた２つ以上の噴霧ノズルとを備えると共に、その噴霧ノズルは気体浄化パイプ内に存在する排出ガスに洗浄液を噴霧するようになっており、各噴霧ノズルを開閉するようになっているバルブによって作動される。前記システムは、最上位の活性噴霧ノズルを作動するバルブの上流で気体浄化パイプの外側の圧力Ｐを測定するように配置された少なくとも１つの圧力センサと、個別の活性噴霧ノズルの各々を通る洗浄液の流量Ｑindを合計することによって排出ガス浄化ユニットの排気ガス導入口における洗浄液の合計流量Ｑtotを算出するプロセスコントローラとを備える。
2020501058.tif 000002
【特許請求の範囲】
【請求項１】
船舶内に設置された排出ガス浄化ユニットの洗浄液注入口における洗浄液の合計流量Ｑtotを決定するシステムであって、その排出ガス浄化ユニットは、
・  排出ガス導入口と排出ガス排出口との間に排気ガス流を備える気体浄化パイプと、
・  気体浄化パイプ内に異なる高さレベルで設けられた２つ以上の噴霧ノズルとを備え、
噴霧ノズルの各々は
・排出ガスからＳＯｘの少なくとも一部を除去するために気体浄化パイプ内に存在する排出ガスに洗浄液を噴霧するようになっており、
・各噴霧ノズルを開閉するようになっているバルブによって作動され、
前記排出ガス浄化ユニットは、それぞれのバルブによって開かれて活性化される最上位の活性噴霧ノズルを備え、
前記システムは、
・  最上位の活性噴霧ノズルに印加されバールで表される圧力Ｐを測定するように配置された少なくとも１つの圧力センサと、
・  プロセスコントローラとを備え、
プロセスコントローラは、
・個別の活性噴霧ノズルの各々を介して流れる洗浄液のリットル/分又はｍ3/ｈで表される流量Ｑindを次式を用いて算出し、
Ｑind=Ｋ×√（Ｐ−圧力補正値＋高さ補正値）
（但し、
■Ｋは噴霧ノズルのタイプによる噴霧ノズル係数、
■圧力補正値は、気体浄化パイプ内の各噴霧ノズルの高度の関数としてバールで表される圧力Ｐの補正因子、そして
■高さ補正値は、流量が算出される各活性噴霧ノズルに対する圧力センサの位置の高さの差に基づきバールで表される圧力Ｐの補正因子である）
・排出ガス浄化ユニットの洗浄液注入口における洗浄液のリットル/分又はｍ3/ｈで表される合計流量Ｑtotを、個別の活性噴霧ノズルの各々を通る洗浄液の異なる流量Ｑindを合計することによって算出するシステム。
【請求項２】
最上位の活性噴霧ノズルに印加される圧力Ｐは、最上位の活性噴霧ノズルの上流で気体浄化パイプの外で測定された洗浄液の圧力である請求項１記載のシステム。
【請求項３】
噴霧ノズルは螺旋タイプのものである請求項１又は２に記載のシステム。
【請求項４】
噴霧ノズルを作動させるバルブは遠隔操作される請求項１〜３のいずれか1つに記載のシステム。
【請求項５】
船舶に設置される排出ガス浄化ユニットの浄化液注入口における浄化液の合計流量Ｑtotを決定する方法であって、その排出ガス浄化ユニットは排出ガス導入口と排出ガス排出口との間に排出ガスの流れを有する気体浄化パイプを備え、その方法は、
・  排出ガスからＳＯｘの少なくとも一部を除去するために、洗浄液を、各作動可能バルブによって開かれて活性化され排出ガス浄化ユニットの気体浄化パイプ内に異なる高さで配置された２つ以上の活性噴霧ノズルによって、気体浄化パイプ内に存在する排出ガスに吹込み、
・  バルブによって開かれて活性化された最上位の活性噴霧ノズルに印加されバールで表される圧力Ｐを１つ以上の圧力センサを用いて測定し、
・  個別の活性噴霧ノズルの各々を通って流れる洗浄液のリットル/分で表される流量Ｑindを、次式を用いてプロセスコントローラによって算出し、    
Ｑind=Ｋ×√（Ｐ−圧力補正値＋高さ補正値）
（但し、
■Ｋは噴霧ノズルのタイプによる噴霧ノズル係数、
■圧力補正値は、気体浄化パイプ内の各噴霧ノズルの高度の関数としてバールで表される圧力Ｐの補正因子、そして
■高さ補正値は、流量が算出される各活性噴霧ノズルに対する圧力センサの位置の高さの差に基づきバールで表される圧力Ｐの補正因子である）
・  排出ガス浄化ユニットの洗浄液注入口における洗浄液のリットル/分又はｍ3/ｈで表される合計流量Ｑtotを、個別の活性噴霧ノズルの各々を通る洗浄液の異なる流量Ｑindをプロセスコントローラで合計することによって算出する工程を備える方法。
【請求項６】
圧力Ｐおよび高さ補正値は、排出ガス浄化ユニットの設置期間中に決定される請求項５に記載の方法。
【請求項７】
請求項１〜４のいずれか1つに記載のシステムを用いる請求項５又は６に記載の方法。
【請求項８】
方法がコンピュータで実行される請求項５〜７のいずれか1つに記載の方法。
【請求項９】
請求項５〜８のいずれか1つに記載の方法を実行するプログラムコード指令を備えたコンピュータプログラムプロダクト。
【請求項１０】
請求項５〜８のいずれか1つに記載の方法を実行するように構成された請求項１〜４のいずれか1つに記載のシステム。
【発明の詳細な説明】
【技術分野】
【０００１】
この出願は、船舶の１つ以上のエンジンからの排気ガスを浄化するために設計され船舶に据え付けられた排出ガス浄化ユニット、特に、湿式気体浄化システムの内部における、とくにその排気ガス導入口のレベルにおける、洗浄液の合計流量を決定する技術分野に関する。
【背景技術】
【０００２】
MEPC.259(68)4.4.7,2015の「排出ガス浄化システムのガイドライン」によれば、ＥＧＣ（排出ガス浄化）ユニットは、ＥＧＣユニットの（洗浄水）注入口連結部における洗浄水の圧力と流量を自動的に記録しなければならない。
【０００３】
現在、湿式気体浄化装置の洗浄液注入孔において、洗浄液の流量を測定する流量センサを用いることが知られている。上記の要求を満たすために、船舶に設置される湿式気体浄化装置は、各々、この流量を測定するそのような流量センサを備える必要があるが、湿式気体浄化装置の直線パイプの直径の少なくとも５倍が流量の正しい測定に必要であるので、船舶内でこれらの流量計を設置する適当な場所を見つけることを難しくしている。
【０００４】
従って、低価格で、船舶内でほとんどスペースを必要とせず、保守の要求が殆どなく、当該技術分野で用いられる流量センサより信頼できる成績を提供する、湿式気体浄化装置の導入口における洗浄液の合計流量を決定するシステムと方法を提供することが、重要になる。
【０００５】
[発明の要旨]
この出願は、第１の観点において、船舶内に設置された排出ガス浄化ユニットの洗浄液注入口における洗浄液の合計流量Ｑtotを決定するシステムを提供し、その排出ガス浄化ユニットは、
-  排出ガス導入口と排出ガス排出口との間に排気ガス流を有する気体浄化パイプと、
-  気体浄化パイプ内に異なる高さレベルで設けられた２つ以上の噴霧ノズルとを備え、
噴霧ノズルの各々は
・排出ガスからＳＯｘの少なくとも一部を除去するために気体浄化パイプ内に存在する排出ガスに洗浄液を噴霧するようになっており、
・各噴霧ノズルを開閉するようになっているバルブによって作動され、
前記排出ガス浄化ユニットは、それぞれのバルブによって開かれて活性化される最上位の活性噴霧ノズルを備え、
前記システムは、
-  最上位の活性噴霧ノズルに印加されバールで表される圧力Ｐを測定するように配置された少なくとも１つの圧力センサと、
-  プロセスコントローラとを備え、
プロセスコントローラは、
・個別の活性噴霧ノズルの各々を介して流れる洗浄液のリットル/分又はｍ3/ｈで表される流量Ｑを次式を用いて算出し、
Ｑind=Ｋ×√（Ｐ−圧力補正値＋高さ補正値）
（但し、
■Ｋは噴霧ノズルのタイプによる噴霧ノズル係数、
■圧力補正値は、気体浄化パイプ内の各噴霧ノズルの高度の関数としてバールで表される圧力Ｐの補正因子、そして
■高さ補正値は、流量が算出される各活性噴霧ノズルに対する圧力センサの位置の高さの差に基づきバールで表される圧力Ｐの補正因子である）
・排出ガス浄化ユニットの洗浄液注入口における洗浄液のリットル/分又はｍ3/ｈで表される合計流量Ｑtotを、個別の活性噴霧ノズルの各々を通る洗浄液の異なる流量Ｑを合計することによって算出する。
【０００６】
このシステムは、船舶における搭載スペースを十分に節約し、メンテナンスを殆ど必要とせず、より信頼性のある表示を提供するという利点を有する。さらに、現存するシステムをこのシステムで容易に取り換えることができる。
【０００７】
この出願によるシステムの実施形態において、最上位の活性噴霧ノズルに印加される圧力Ｐは、最上位の活性噴霧ノズルの上流の気体浄化パイプの外で測定された洗浄液の圧力である。
【０００８】
この出願によるシステムの実施形態において、噴霧ノズルは螺旋タイプのものである。
【０００９】
これらの噴霧ノズルは、高いエネルギー効率を有し、詰まりにくく、高い放出速度を有する。
【００１０】
この出願によるシステムの実施形態において、噴霧ノズルを作動させるバルブは、遠隔操作される。
【００１１】
この出願は、第２の観点において、船舶に設置される排出ガス浄化ユニットの浄化液注入口における浄化液の合計流量Ｑtotを決定する方法を提供し、その排出ガス浄化ユニットは排出ガス導入口と排出ガス排出口との間に排出ガスの流れを有する気体浄化パイプを備え、その方法は、
−  排出ガスからＳＯｘの少なくとも一部を除去するために、洗浄液を、各作動可能バルブによって開かれて活性化され排出ガス浄化ユニットの気体浄化パイプ内に異なる高さで配置された２つ以上の活性噴霧ノズルによって、気体浄化パイプ内に存在する排出ガスに吹込み、
-  バルブによって開かれて活性化された最上位の活性噴霧ノズルに印加されバールで表される圧力Ｐを１つ以上の圧力センサを用いて測定し、
-  個別の活性噴霧ノズルの各々を通って流れる洗浄液のリットル/分で表される流量Ｑindを、次式を用いてプロセスコントローラによって算出し、      
Ｑind=Ｋ×√（Ｐ−圧力補正値＋高さ補正値）
（但し、
■Ｋは噴霧ノズルのタイプによる噴霧ノズル係数、
■圧力補正値は、気体浄化パイプ内の各噴霧ノズルの高度の関数としてバールで表される圧力Ｐの補正因子、そして
■高さ補正値は、流量が算出される各活性噴霧ノズルに対する圧力センサの位置の高さの差に基づきバールで表される圧力Ｐの補正因子である）
・排出ガス浄化ユニットの洗浄液注入口における洗浄液のリットル/分又はｍ3/ｈで表される合計流量Ｑtotを、個別の活性噴霧ノズルの各々を通る洗浄液の異なる流量Ｑindをプロセスコントローラで合計することによって算出する工程を備える。
【００１２】
圧力補正値は、洗浄液の主供給パイプの噴霧ノズルまでの距離による圧力損失、パイプそれ自体の圧力損失、洗浄液の主供給パイプの噴霧ノズルまでのエルボーにおける圧力損失などである。
【００１３】
この出願による可能な方法において、圧力および高さ補正値は、排出ガス浄化ユニットの設置期間中に決定される。
【００１４】
この出願による方法の実施形態において、その方法は、この出願による上述のようなシステムを用いる。
【００１５】
この出願は、第３の観点において、この出願による上述のような方法を提供し、その方法はコンピュータで実行される。
【００１６】
この出願は、第４の観点において、この出願による上述のような方法を実行するプログラムコード指令を備えたコンピュータプログラムプロダクトを提供する。
【００１７】
この出願は、第５の観点において、この出願による上述のようなシステムを提供し、そのシステムはこの出願による上述のような方法を実行するように構成される。
【図面の簡単な説明】
【００１８】
【図１】最上位の活性噴霧ノズルの上流の気体浄化パイプの外側の圧力を測定するための２つの圧力センサを備える、この出願によるシステムを備えた湿式気体状化システムを示す。
【図２】図１に示す代表的な湿式気体状化システムの排出ガス導入口（２）における洗浄液の合計流量Ｑtotを決定するためのプロセスコントローラの代表的なプログラミングブロックを示し、そこでは、最上位の活性噴霧ノズルの上流の気体浄化パイプの外側での圧力が２.１バールであり、噴霧ノズルＩ,II,Ｖ,VIは開いて活性である。
【００１９】
[発明の詳細な説明]
図１に示されるように、排出ガス浄化ユニット、特に、湿式気体浄化システムは、その底部に排出ガス導入口（２）を、そしてその先端部に排出ガス排出口（３）を有し、その間に排気ガスが流れる気体浄化パイプ（１）を備える。気体浄化パイプ（１）の内部には、気体浄化パイプ（１）の全体に異なる高さレベルで搭載された、多数の噴霧ノズル（Ｉ−VI）が配置されている。噴霧ノズル（Ｉ−VI）の各々は、洗浄液、特に海水を気体浄化パイプ（１）の中に存在する排出ガスの中に吹き込み、排出ガスからＳＯｘの少なくとも一部、特にその必要量を除去する。特に、螺旋型の噴霧ノズルが使用される。洗浄液は洗浄液主パイプ（６）から種々の洗浄液副パイプ（７）に供給され、洗浄液副パイプ（７）は気体浄化パイプ（１）の内部の異なる噴霧ノズル（Ｉ−VI）の各々に洗浄液を供給する。
【００２０】
噴霧ノズル（Ｉ−VI）の各々は、噴霧ノズル（Ｉ−VI）の各々を開閉するように構成されたバルブ（ａ−ｆ）、特にバタフライバルブによって作動される。開かれた、従って、活性化された噴霧ノズルは、「活性」噴霧ノズルとも呼ばれる。これらのバルブ（ａ−ｆ）は、１つ以上のアクチュエータ（図示しない）によって遠隔的に制御（開閉）される。
【００２１】
さらに、MEPC.259(68)4.4.7,2015の「排出ガス浄化システムのガイドライン」により要求される、洗浄液主パイプ（６）を流れる洗浄液の合計流量Ｑtotを決定するシステムが設けられる。従って、そのシステムは、個別の活性噴霧ノズルの各々への洗浄液の異なる個別の流量Ｑindを合計することによって、洗浄液主パイプ（６）内の洗浄液の合計流量Ｑtotを算出するように構成されたプロセスコントローラ（図示しない）を備える。従って、そのプロセスコントローラは、次式を用いて、個別の活性噴霧ノズルの各々を介して流れる洗浄液の流量Ｑindを算出するように構成される。
Ｑind=Ｋ×√（Ｐ−圧力補正値＋高さ補正値）
（但し、
■Ｐは最上位の活性噴霧ノズルに印加される圧力、
■Ｋは噴霧ノズルのタイプによる噴霧ノズル係数、
■圧力補正値は、気体浄化パイプ内の各噴霧ノズルの高度の関数としてバールで表される圧力Ｐの補正因子、そして
■高さ補正値は、流量が算出される各活性噴霧ノズルに対する圧力センサの位置の高さの差に基づきバールで表される圧力Ｐの補正因子である）
【００２２】
最上位の活性噴霧ノズルに印加される圧力Ｐを測定するために、システムは少なくとも１つの圧力センサ（４）を備える。圧力Ｐは、バルブが最上位の活性噴霧ノズルを作動させるバルブの上流の、気体浄化パイプ（１）の外の洗浄液主パイプ（６）の内部で特に測定される（図１参照）。特に２つの圧力センサ（４）が重複して適用されている。つまり、これらの２つの圧力センサ（４）において測定された圧力の差が大きい時、それらはチェックされるべきであり、欠陥のある方は調整される必要がある。圧力指示器は、２つの圧力センサ（４）によって測定される圧力Ｐを示す（圧力Ｐは圧力センサ（４）の各々で同じであるべきである）。
【００２３】
有利なことに、圧力および高さ補正値は、湿式気体浄化システムの設置時に決定される。
【００２４】
湿式気体浄化装置を介して洗浄液が流れない時には、ポンプが停止され、噴霧ノズル（Ｉ−VI）の各高さにおける流量は零となり、従って、湿式気体浄化装置の注入口の高さにおける合計流量も零になる。
【００２５】
このシステムは、排出ガス内のSO2のCO2に対する比が警告値を超える場合に警告を発するように構成された排気ガス放出監視システムを備えることができる。
[実施例]
【００２６】
図２は、図１に示す代表的な湿式気体浄化システムの排気ガス導入口（２）における洗浄液の合計流量Ｑtotを決定するプロセスコントローラの代表的なプログラミングブロックをしめす。図２に示すように、最上位の活性噴霧ノズルは第１噴霧ノズル（Ｉ）である。第１噴霧ノズル（Ｉ）の作動バルブの上流で、気体浄化パイプ（１）の外側において測定された圧力は、2.1バールであった。第２,第５,第６噴霧ノズル（II,Ｖ,VI）が開かれ、活性になった。
【００２７】
異なる個別の噴霧ノズルの高さにおける流量Ｑindは、次の通りである。
・  噴霧ノズルＩ：1550×√(2.1−0.4)=2020.95l/min又は121.2572 m3/h；
・  噴霧ノズルII：2552×√(2.1−0.4＋0.1)=3423.87l/min又は205.432 m3/h；
・  噴霧ノズルＶ：1752×√(2.1−0.4＋0.8185)=2780.39l/min又は166.8231 m3/h；
・  噴霧ノズルVI：1752×√(2.1−0.4＋0.9085)=2829.63l/min又は169.7777 m3/h；
【００２８】
気体浄化装置の注入口における洗浄液の合計流量Ｑtotは噴霧ノズル当たりの個々の流量Ｑindの合計（121.2572＋205.432＋166.8231＋169.7777）m3/hつまり663 m3/hであった。
【図１】
2020501058.tif 000003
【図２】
2020501058.tif 000004
【国際調査報告】
2020501058.tif 000005
2020501058.tif 000006